(57)【特許請求の範囲】
【請求項１】
枠体と、６５個の回転体とからなり、
回転体は、枠体に５個の横列と１３個の縦列で配設され、
横第１列の左端から６個の回転体は月表示回転体であり、この月表示回転体と横第５列の右端から４個の回転体を除く５５個の回転体は、日表示回転体であって、
月表示回転体は、一つの月を表示する第１の月表示部と、次の月を表示する第２の月表示部と、月を表示しない月無表示部とが形成されており、
日表示回転体は、平日を表示する平日表示部と、休日を表示する休日表示部と、日を表示しない日無表示部とが形成され、横第１列の左端７番目の回転体から１３番目の回転体の平日表示部と休日表示部に１から７の数字が形成され、横第２列の左端１番目の回転体から１３番目の回転体の平日表示部と休日表示部に２から１４の数字が形成され、横第３列の左端１番目の回転体から１３番目の回転体の平日表示部と休日表示部に９から２１の数字が形成され、横第４列の左端１番目の回転体から１３番目の回転体の平日表示部と休日表示部に１６から２８の数字が形成され、横第５列の左端１番目の回転体から９番目の回転体の平日表示部と休日表示部に２３から３１の数字が形成され、
枠体の上部には、曜日を表示する表示部材が摺動可能に設けられていることを特徴とする万年カレンダー。
【請求項２】
枠体と、
枠体内に略平行に設けられた１３本の支持軸と、
各支持軸に５個の回転体が回動可能に取り付けられた６５個の回転体とからなり、
６５個の回転体は、６個の月表示回転体と、５５個の日表示回転体を有し、
回転体は、枠体に５個の横列と１３個の縦列で配設され、
月表示回転体は、横第１列の左端から連続して６個配置され、一つの月を表示する第１の月表示部と、次の月を表示する第２の月表示部と、月を表示しない月無表示部とが形成されており、
日表示回転体は、平日を表示する平日表示部と、休日を表示する休日表示部と、日を表示しない日無表示部とが形成され、横第１列の左端７番目の回転体から１３番目の回転体の平日表示部と休日表示部に１から７の数字が形成され、横第２列の左端１番目の回転体から１３番目の回転体の平日表示部と休日表示部に２から１４の数字が形成され、横第３列の左端１番目の回転体から１３番目の回転体の平日表示部と休日表示部に９から２１の数字が形成され、横第４列の左端１番目の回転体から１３番目の回転体の平日表示部と休日表示部に１６から２８の数字が形成され、横第５列の左端１番目の回転体から９番目の回転体の平日表示部と休日表示部に２３から３１の数字が形成され、
枠体の上部には、曜日を表示する表示部材が摺動可能に設けられていることを特徴とする万年カレンダー。
【請求項３】
枠体と、
枠体内に略平行に設けられた５本の支持軸と、
各支持軸に１３個の回転体が回動可能に取り付けられた６５個の回転体とからなり、
６５個の回転体は、６個の月表示回転体と、５５個の日表示回転体を有し、
回転体は、枠体に５個の横列と１３個の縦列で配設され、
月表示回転体は、横第１列の左端から連続して６個配置され、一つの月を表示する第１の月表示部と、次の月を表示する第２の月表示部と、月を表示しない月無表示部とが形成されており、
日表示回転体は、平日を表示する平日表示部と、休日を表示する休日表示部と、日を表示しない日無表示部とが形成され、横第１列の左端７番目の回転体から１３番目の回転体の平日表示部と休日表示部に１から７の数字が形成され、横第２列の左端１番目の回転体から１３番目の回転体の平日表示部と休日表示部に２から１４の数字が形成され、横第３列の左端１番目の回転体から１３番目の回転体の平日表示部と休日表示部に９から２１の数字が形成され、横第４列の左端１番目の回転体から１３番目の回転体の平日表示部と休日表示部に１６から２８の数字が形成され、横第５列の左端１番目の回転体から９番目の回転体の平日表示部と休日表示部に２３から３１の数字が形成され、
枠体の上部には、曜日を表示する表示部材が摺動可能に設けられていることを特徴とする万年カレンダー。
【発明の詳細な説明】
【技術分野】
【０００１】
本願発明は、地域を選ばず世界中で永久的に使用することができ、デザイン的にも優れた万年カレンダーに関する。
【背景技術】
【０００２】
従来、万年カレンダーは、円盤回転型と、日駒回転型と、矩形盤スライド型とがある。円盤回転型万年カレンダーは、基板と、基板の裏面に回動可能に取り付けられた円盤状の暦日板とからなる。暦日板には、１月から１２月までの暦日のパターンが放射状に表示されている。基板には、所望する暦月を視認することができる扇状の窓が形成されている（例えば、特許文献１）。
【０００３】
日駒回転型万年カレンダーは、ケース本体と、ケース本体内に設けられた日付棒とからなる。日付棒は、立方体状の駒を複数連結して形成され、各駒に日付が表示されている。（例えば、特許文献２）。矩形盤スライド型万年カレンダーは、基板と、基板の表面上に摺動可能に取り付けられた枠部材とからなる。基板には、１月から１２月までの暦日のパターンが表示されている。枠部材には、所望する暦月を視認することができる矩形状の窓が形成されている（例えば、特許文献３）。
【特許文献１】特開平  ９−２６９８４４号公報
【特許文献２】実開昭６３−１９１３６６号公報
【特許文献３】実開昭６１−７０８８２号公報
【発明の開示】
【発明が解決しようとする課題】
【０００４】
上記円盤回転型万年カレンダーは、基板が円盤状の暦日板を完全に覆うため、全体的に大きくなり、しかも扇状の窓から放射状に表示された暦日を視認するので、見づらいという問題点があった。日駒回転型万年カレンダーは、ケース本体内に設けられた状態の駒を回転させることができないので、日付を変えるために駒をケース本体から外さなければならず、日付の変更が面倒であるという問題点があった。さらに、月毎に日付の駒の位置を変えなければならず、暦月を変更するのに手間がかかるという問題点があった。矩形盤スライド型万年カレンダーは、枠部材の窓から基板に表示された暦日を視認するが、枠部材の両側からはみ出た暦日まで見えてしまうので、見た目が悪いのは勿論のこと、視認し難いという問題点があった。
【０００５】
本願発明は、上記問題点に鑑み案出したものであって、コンパクトで、見易く、暦月の変更が簡単で、デザイン性及び装飾性に優れ、興趣ある万年カレンダーを提供することを目的とする。
【課題を解決するための手段】
【０００６】
本願請求項１に係る万年カレンダーは、上記目的を達成するため、枠体と、６５個の回転体とからなり、回転体は、枠体に５個の横列と１３個の縦列で配設され、横第１列の左端から６個の回転体は月表示回転体であり、この月表示回転体と横第５列の右端から４個の回転体を除く５５個の回転体は、日表示回転体であって、月表示回転体は、一つの月を表示する第１の月表示部と、次の月を表示する第２の月表示部と、月を表示しない月無表示部とが形成されており、日表示回転体は、平日を表示する平日表示部と、休日を表示する休日表示部と、日を表示しない日無表示部とが形成され、横第１列の左端７番目の回転体から１３番目の回転体の平日表示部と休日表示部に１から７の数字が形成され、横第２列の左端１番目の回転体から１３番目の回転体の平日表示部と休日表示部に２から１４の数字が形成され、横第３列の左端１番目の回転体から１３番目の回転体の平日表示部と休日表示部に９から２１の数字が形成され、横第４列の左端１番目の回転体から１３番目の回転体の平日表示部と休日表示部に１６から２８の数字が形成され、横第５列の左端１番目の回転体から９番目の回転体の平日表示部と休日表示部に２３から３１の数字が形成され、枠体の上部には、曜日を表示する表示部材が摺動可能に設けられていることを特徴とする。
【０００７】
本願請求項２に係る万年カレンダーは、上記目的を達成するため、枠体と、枠体内に略平行に設けられた１３本の支持軸と、各支持軸に５個の回転体が回動可能に取り付けられた６５個の回転体とからなり、６５個の回転体は、６個の月表示回転体と、５５個の日表示回転体を有し、回転体は、枠体に５個の横列と１３個の縦列で配設され、月表示回転体は、横第１列の左端から連続して６個配置され、一つの月を表示する第１の月表示部と、次の月を表示する第２の月表示部と、月を表示しない月無表示部とが形成されており、日表示回転体は、平日を表示する平日表示部と、休日を表示する休日表示部と、日を表示しない日無表示部とが形成され、横第１列の左端７番目の回転体から１３番目の回転体の平日表示部と休日表示部に１から７の数字が形成され、横第２列の左端１番目の回転体から１３番目の回転体の平日表示部と休日表示部に２から１４の数字が形成され、横第３列の左端１番目の回転体から１３番目の回転体の平日表示部と休日表示部に９から２１の数字が形成され、横第４列の左端１番目の回転体から１３番目の回転体の平日表示部と休日表示部に１６から２８の数字が形成され、横第５列の左端１番目の回転体から９番目の回転体の平日表示部と休日表示部に２３から３１の数字が形成され、枠体の上部には、曜日を表示する表示部材が摺動可能に設けられていることを特徴とする。
【０００８】
本願請求項３に係る万年カレンダーは、上記目的を達成するため、枠体と、枠体内に略平行に設けられた５本の支持軸と、各支持軸に１３個の回転体が回動可能に取り付けられた６５個の回転体とからなり、６５個の回転体は、６個の月表示回転体と、５５個の日表示回転体を有し、回転体は、枠体に５個の横列と１３個の縦列で配設され、月表示回転体は、横第１列の左端から連続して６個配置され、一つの月を表示する第１の月表示部と、次の月を表示する第２の月表示部と、月を表示しない月無表示部とが形成されており、日表示回転体は、平日を表示する平日表示部と、休日を表示する休日表示部と、日を表示しない日無表示部とが形成され、横第１列の左端７番目の回転体から１３番目の回転体の平日表示部と休日表示部に１から７の数字が形成され、横第２列の左端１番目の回転体から１３番目の回転体の平日表示部と休日表示部に２から１４の数字が形成され、横第３列の左端１番目の回転体から１３番目の回転体の平日表示部と休日表示部に９から２１の数字が形成され、横第４列の左端１番目の回転体から１３番目の回転体の平日表示部と休日表示部に１６から２８の数字が形成され、横第５列の左端１番目の回転体から９番目の回転体の平日表示部と休日表示部に２３から３１の数字が形成され、枠体の上部には、曜日を表示する表示部材が摺動可能に設けられていることを特徴とする。
【発明の効果】
【００１０】
本願発明に係る万年カレンダーは、６個の月表示回転体の内、所望する月が形成された一つの月表示回転体を回転させて、第１の月表示部又は第２の月表示部を視認できる位置まで回転させ、所望する月を表示する。所望する月以外の月表示回転体を回転させて、月無表示部を視認できる位置まで回転させる。また、その月に対応する日表示回転体を選択し、それ以外の日表示回転体を回転させて、日無表示部を視認できる位置まで回転させる。選択した日表示回転体の内、日曜、祝日等の休日に相当するものは、休日表示部を視認できる位置まで回転させ、平日に相当するものは、平日表示部を視認できる位置まで回転させる。このようにして、万年カレンダーは、所望する月のカレンダーを形成することができる。
【００１１】
本願発明に係る万年カレンダーは、回転体を回転させるだけで、暦月、暦日を変えることができるので、暦を変更するのに極めて簡単であり、どの地域、いつの時代でも容易に対応させることができるという効果がある。また、本願発明に係る万年カレンダーは、表示している月及び日以外をすべて無表示とすることができるので、一目で曜日を確認することができ、見易いという効果がある。さらにまた、本願発明に係る万年カレンダーは、コンパクトで、デザイン性及び装飾性に優れ、興趣ある構造であるという効果がある。本願発明に係る万年カレンダーは、横第１列の７番目が１日となるため、横第１列の１番目から６番目の回転体を月表示回転体とすることができ、枠体に別の月表示手段を設ける必要がないので、見易く、コンパクトでスタイリッシュな構造にすることができるという効果がある。
【発明を実施するための最良の形態】
【００１２】
本願発明に係る万年カレンダーの一つの実施の形態を図１乃至図１８に基づいて説明する。図１は、万年カレンダーの全体正面図である。図２は、万年カレンダーの側面断面図である。図３は、万年カレンダーの要部説明図である。図４は、１月の万年カレンダーの正面図である。図５は、２月の万年カレンダーの正面図である。図６は、３月の万年カレンダーの正面図である。図７は、４月の万年カレンダーの正面図である。図８は、５月の万年カレンダーの正面図である。図９は、６月の万年カレンダーの正面図である。図１０は、７月の万年カレンダーの正面図である。図１１は、８月の万年カレンダーの正面図である。図１２は、９月の万年カレンダーの正面図である。図１３は、１０月の万年カレンダーの正面図である。図１４は、１１月の万年カレンダーの正面図である。図１５は、１２月の万年カレンダーの正面図である。
【００１３】
万年カレンダー１は、枠体２と、少なくとも６１個の回転体１５とからなる。回転体１５は、少なくとも５個の横列と少なくとも１３個の縦列に配設される。第１番目から第４番目の横列には、それぞれ左端から１３個の回転体１５が設けられている。第５番目の横列には、左端から９個の回転体１５が設けられている。第１番目の横列の左端から６個の回転体２１〜２６は月表示回転体であり、この月表示回転体を除く５５個の回転体２７〜８１は、日表示回転体である。月表示回転体２１〜２６は、一つの月を表示する第１の月表示部Ａと、次の月を表示する第２の月表示部Ｂと、月を表示しない月無表示部Ｃとが形成されている。日表示回転体２７〜８１は、平日を表示する平日表示部ａと、休日を表示する休日表示部ｂと、日を表示しない日無表示部ｃとが形成されている。
【００１４】
万年カレンダー１は、枠体２と、枠体２内に略平行に設けられた少なくとも１３本の支持軸１０と、各支持軸１０に少なくとも５個の回転体１５が回動可能に取り付けられた少なくとも６５個の回転体１５とからなる。６５個の回転体１５は、６個の月表示回転体２１〜２６と、５５個の日表示回転体２７〜８１を有する。６個の月表示回転体２１〜２６は、枠体２内の左上部に連続して配置され、一つの月を表示する第１の月表示部Ａと、次の月を表示する第２の月表示部Ｂと、月を表示しない月無表示部Ｃとが形成されている。５５個の日表示回転体２７〜８１は、６個の月表示回転体２１〜２６の次に連続して配置され、平日を表示する平日表示部ａと、休日を表示する休日表示部ｂと、日を表示しない日無表示部ｃとが形成されている。枠体２の上部には、曜日を表示する表示部材１８が摺動可能に設けられている。なお、万年カレンダー１は、枠体２と、枠体２内に略平行に設けられた少なくとも５本の支持軸と、各支持軸に少なくとも１３個の回転体１５が回動可能に取り付けられた少なくとも６５個の回転体１５とからなる構成にしても良い。
【００１５】
万年カレンダー１は、６個の月表示回転体２１〜２６の内、所望する月が形成された一つの月表示回転体を回転させて、第１の月表示部Ａ又は第２の月表示部Ｂを視認できる位置まで回転させ、所望する月を表示する。所望する月以外の月表示回転体を回転させて、月無表示部Ｃを視認できる位置まで回転させる。その月に対応する日表示回転体２７〜８１を選択し、それ以外の日表示回転体２７〜８１を回転させて、日無表示部ｃを視認できる位置まで回転させる。選択した日表示回転体２７〜８１の内、日曜、祝日等の休日に相当するものは、休日表示部ｂを視認できる位置まで回転させ、平日に相当するものは、平日表示部ａを視認できる位置まで回転させる。表示部材１８を摺動させ、曜日を日付に合わせる。このようにして、万年カレンダー１は、所望する月のカレンダーを形成することができる。
【００１６】
さらに万年カレンダー１について詳細に説明する。図１，２に示すように、万年カレンダー１は、略長方形状の枠体２を有する。枠体２は、上枠部材３と、上枠部材３の右端に形成された右枠部材５と、上枠部材３の左端に形成された左枠部材６と、右枠部材５と左枠部材６の下端に形成された下枠部材７と、上枠部材３と右枠部材５と左枠部材６と下枠部材７の裏面に取り付けられた底板９とからなる。
【００１７】
枠体２内には、１３本の支持軸１０が略平行に設けられている。支持軸１０は、円軸状に形成され、上部が上枠部材３に取り付けられ、下部が下枠部材７に取り付けられている。各支持軸１０には、５個の回転体１５が回動可能に取り付けられている。なお、支持軸１０には、回転体１５と回転体１５の間、回転体１５と上枠部材３の間、回転体１５と下枠部材７の間に、リング状の間隔保持部材１６が設けられている。この間隔保持部材１６により、回転体１５はスムーズに回転可能となる。万年カレンダー１は、横列に１３個の回転体１５が並び、縦列に５個の回転体１５が並ぶ構成となっている。
【００１８】
回転体１５は、枠体２内に上記構成で配置され、総数で６５個となっている。その内の６個の回転体１５は月表示回転体２１〜２６であり、５５個の回転体１５は日表示回転体２７〜８１である。図３（ａ）に示すように、６個の月表示回転体２１〜２６は、枠体２内の左上部に連続して配置され、一つの月を表示する第１の月表示部Ａと、次の月を表示する第２の月表示部Ｂと、月を表示しない月無表示部Ｃとが形成されている。各表示部Ａ〜Ｃは、略１２０度の等間隔で配置され、真上方向（矢印Ｘ方向）から視て、一つの表示部（例えばＡ）が表示されると他の二つの表示部（例えばＢとＣ）が見えないようになっている。
【００１９】
一番左の月表示回転体２１には、１月を表示する第１の月表示部２１Ａと、２月を表示する第２の月表示部２１Ｂと、月を表示しない月無表示部２１Ｃとが形成されている。月表示回転体２１の右隣の月表示回転体２２には、３月を表示する第１の月表示部２２Ａと、４月を表示する第２の月表示部２２Ｂと、月を表示しない月無表示部２２Ｃとが形成されている。月表示回転体２２の右隣の月表示回転体２３には、５月を表示する第１の月表示部２３Ａと、６月を表示する第２の月表示部２３Ｂと、月を表示しない月無表示部２３Ｃとが形成されている。月表示回転体２３の右隣の月表示回転体２４には、７月を表示する第１の月表示部２４Ａと、８月を表示する第２の月表示部２４Ｂと、月を表示しない月無表示部２４Ｃとが形成されている。月表示回転体２４の右隣の月表示回転体２５には、９月を表示する第１の月表示部２５Ａと、１０月を表示する第２の月表示部２５Ｂと、月を表示しない月無表示部２５Ｃとが形成されている。月表示回転体２５の右隣の月表示回転体２６には、１１月を表示する第１の月表示部２６Ａと、１２月を表示する第２の月表示部２６Ｂと、月を表示しない月無表示部２６Ｃとが形成されている。
【００２０】
月表示回転体２６の右隣には、連続して始まる５５個の日表示回転体２７〜８１が設けられている。図３（ｂ）に示すように、５５個の日表示回転体２７〜８１は、平日を表示する平日表示部ａと、休日を表示する休日表示部ｂと、日を表示しない日無表示部ｃとが形成されている。各表示部ａ〜ｃは、略１２０度の等間隔で配置され、真上方向（矢印Ｘ方向）から視て、一つの表示部（例えばａ）が表示されると他の二つの表示部（例えばｂとｃ）が見えないようになっている。日表示回転体２７〜８１には、平日の日数１〜３１を表示する平日表示部２７ａ〜８１ａと、休日の日数を表示する休日表示部２７ｂ〜８１ｂと、日を表示しない日無表示部２７ｃ〜８１ｃとが形成されている。なお、図３（ｃ）に示すように、回転体１５は、三角柱状であっても良く、実施例の球状及び円柱状等の特定の形態に限定されるものではないことは勿論である。
【００２１】
上枠部材３の表面３ａには、長手方向に向かってガイド凹部１１が形成されている。ガイド凹部１１は、上壁１２と、下壁１３と、底壁１４とからなり、上壁１２及び下壁１３に係合溝１２ａ，１３ａが形成されている。当該ガイド凹部１１には、前記係合溝１２ａ，１３ａに摺動可能に係合する係合縁１８ａ，１８ｂを備えた表示板（表示部材）１８が摺動可能に取り付けられている。表示板１８の表面には、曜日を表示するアルファベットの頭文字が「Ｓ」「Ｍ」「Ｔ」「Ｗ」「Ｔ」「Ｆ」「Ｓ」所定間隔あけて形成されている。勿論「日」「月」「火」「水」「木」「金」「土」の表示であっても構わない。
【００２２】
万年カレンダー１は、横第１列の１番目から６番目の回転体１５が、月を表示する月表示回転体２１〜２６である。横第１列は、左から７番目の回転体１５が、１日を表示する日表示回転体２７である。横第１列は、この１日を表示する日表示回転体２７から７日を表示する日表示回転体３３まで設けられている。横第２列は、２日を表示する日表示回転体３４から１４日を表示する日表示回転体４６まで設けられている。横第３列は、９日を表示する日表示回転体４７から２１日を表示する日表示回転体５９まで設けられている。横第４列は、１６日を表示する日表示回転体６０から２８日を表示する日表示回転体７２まで設けられている。横第５列は、２３日を表示する日表示回転体７３から３１日を表示する日表示回転体８１まで設けられている。横第５列の残り４個の回転体１５には、何も表示がされていない。
【００２３】
図４に示すように、万年カレンダー１は、月表示回転体２１の第１の表示部２１Ａを上向きにして１月を表示し、月表示回転体２２〜２６を回転して月無表示部２２Ｃ〜２６Ｃを上向きにして月を表示しないようにする。日表示回転体２７〜３１、３８〜４４、５１〜５７、６４〜７０、７７〜８１以外の日表示回転体を回転して日無表示部ｃを上向きして日を表示しないようにする。１日と１４日は、祝日なので、日表示回転体２７の休日表示部２７ｂと日表示回転体５２の休日表示部５２ｂを上向きにして休日を表示する。縦第５列は日曜日なので、日表示回転体３８の休日表示部３８ｂと、日表示回転体５１の休日表示部５１ｂと、日表示回転体６４の休日表示部６４ｂと、日表示回転体７７の休日表示部７７ｂを上向きにして休日を表示する。上記した日以外は平日なので日表示回転体の平日表示部ａを上向きにして平日を表示する。表示部材１８を摺動し、縦第５列に「Ｓ」を合わせ、縦第６列に「Ｍ」を合わせ、縦第７列に「Ｔ」を合わせ、縦第８列に「Ｗ」を合わせ、縦第９列に「Ｔ」を合わせ、縦第１０列に「Ｆ」を合わせ、縦第１１列に「Ｓ」を合わせると、１月のカレンダーが完成する。
【００２４】
図５に示すように、万年カレンダー１は、月表示回転体２１の第２の表示部２１Ｂを上向きにして２月を表示し、月表示回転体２２〜２６を回転して月無表示部２２Ｃ〜２６Ｃを上向きにして月を表示しないようにする。日表示回転体２７、２８、３５〜４１、４８〜５４、６１〜６７、７４〜７９以外の日表示回転体を回転して日無表示部ｃを上向きして日を表示しないようにする。１１日は、祝日なので、日表示回転体４９の休日表示部４９ｂを上向きにして休日を表示する。縦第２列は日曜日なので、日表示回転体３５の休日表示部３５ｂと、日表示回転体４８の休日表示部４８ｂと、日表示回転体６１の休日表示部６１ｂと、日表示回転体７４の休日表示部７４ｂを上向きにして休日を表示する。上記した日以外は平日なので日表示回転体の平日表示部ａを上向きにして平日を表示する。表示部材１８を摺動し、縦第２列に「Ｓ」を合わせ、縦第３列に「Ｍ」を合わせ、縦第４列に「Ｔ」を合わせ、縦第５列に「Ｗ」を合わせ、縦第６列に「Ｔ」を合わせ、縦第７列に「Ｆ」を合わせ、縦第８列に「Ｓ」を合わせると、２月のカレンダーが完成する。
【００２５】
図６に示すように、万年カレンダー１は、月表示回転体２２の第１の表示部２２Ａを上向きにして３月を表示し、月表示回転体２１、２３〜２６を回転して月無表示部２１Ｃ、２３Ｃ〜２６Ｃを上向きにして月を表示しないようにする。日表示回転体２７、３４〜４０、４７〜５３、６０〜６７、７３〜８１以外の日表示回転体を回転して日無表示部ｃを上向きして日を表示しないようにする。２０日は、祝日なので、日表示回転体６４の休日表示部６４ｂを上向きにして休日を表示する。縦第１列は及び３０日は日曜日なので、日表示回転体３４の休日表示部３４ｂと、日表示回転体４７の休日表示部４７ｂと、日表示回転体６０の休日表示部６０ｂと、日表示回転体７３の休日表示部７３ｂと、日表示回転体８０の休日表示部８０ｂを上向きにして休日を表示する。上記した日以外は平日なので日表示回転体の平日表示部ａを上向きにして平日を表示する。表示部材１８を摺動し、縦第１列に「Ｓ」を合わせ、縦第２列に「Ｍ」を合わせ、縦第３列に「Ｔ」を合わせ、縦第４列に「Ｗ」を合わせ、縦第５列に「Ｔ」を合わせ、縦第６列に「Ｆ」を合わせ、縦第７列に「Ｓ」を合わせると、３月のカレンダーが完成する。
【００２６】
図７に示すように、万年カレンダー１は、月表示回転体２２の第２の表示部２２Ｂを上向きにして４月を表示し、月表示回転体２１、２３〜２６を回転して月無表示部２１Ｃ、２３Ｃ〜２６Ｃを上向きにして月を表示しないようにする。日表示回転体２７〜３１、３８〜４４、５１〜５７、６４〜７０、７７〜８０以外の日表示回転体を回転して日無表示部ｃを上向きして日を表示しないようにする。２９日は、祝日なので、日表示回転体７９の休日表示部７９ｂを上向きにして休日を表示する。縦第５列は日曜日なので、日表示回転体３８の休日表示部３８ｂと、日表示回転体５１の休日表示部５１ｂと、日表示回転体６４の休日表示部６４ｂと、日表示回転体７７の休日表示部７７ｂを上向きにして休日を表示する。上記した日以外は平日なので日表示回転体の平日表示部ａを上向きにして平日を表示する。表示部材１８を摺動し、縦第５列に「Ｓ」を合わせ、縦第６列に「Ｍ」を合わせ、縦第７列に「Ｔ」を合わせ、縦第８列に「Ｗ」を合わせ、縦第９列に「Ｔ」を合わせ、縦第１０列に「Ｆ」を合わせ、縦第１１列に「Ｓ」を合わせると、４月のカレンダーが完成する。
【００２７】
図８に示すように、万年カレンダー１は、月表示回転体２３の第１の表示部２３Ａを上向きにして５月を表示し、月表示回転体２１、２２、２４〜２６を回転して月無表示部２１Ｃ、２２Ｃ、２４Ｃ〜２６Ｃを上向きにして月を表示しないようにする。日表示回転体２７〜２９、３６〜４２、４９〜５５、６２〜６８、７５〜８１以外の日表示回転体を回転して日無表示部ｃを上向きして日を表示しないようにする。３日、５日及び６日は、祝日なので、日表示回転体２９、３７、３８の休日表示部２９ｂ、３７ｂ、３８ｂを上向きにして休日を表示する。縦第３列は日曜日なので、日表示回転体３６の休日表示部３６ｂと、日表示回転体４９の休日表示部４９ｂと、日表示回転体６２の休日表示部６２ｂと、日表示回転体７５の休日表示部７５ｂを上向きにして休日を表示する。上記した日以外は平日なので日表示回転体の平日表示部ａを上向きにして平日を表示する。表示部材１８を摺動し、縦第３列に「Ｓ」を合わせ、縦第４列に「Ｍ」を合わせ、縦第５列に「Ｔ」を合わせ、縦第６列に「Ｗ」を合わせ、縦第７列に「Ｔ」を合わせ、縦第８列に「Ｆ」を合わせ、縦第９列に「Ｓ」を合わせると、５月のカレンダーが完成する。
【００２８】
図９に示すように、万年カレンダー１は、月表示回転体２３の第２の表示部２３Ｂを上向きにして６月を表示し、月表示回転体２１、２２、２４〜２６を回転して月無表示部２１Ｃ、２２Ｃ、２４Ｃ〜２６Ｃを上向きにして月を表示しないようにする。日表示回転体２７〜３３、４０〜４６、５３〜５９、６６〜７２、７９〜８１以外の日表示回転体を回転して日無表示部ｃを上向きして日を表示しないようにする。縦第７列は日曜日なので、日表示回転体２７の休日表示部２７ｂと、日表示回転体４０の休日表示部４０ｂと、日表示回転体５３の休日表示部５３ｂと、日表示回転体６６の休日表示部６６ｂと、日表示回転体７９の休日表示部７９ｂを上向きにして休日を表示する。上記した日以外は平日なので日表示回転体の平日表示部ａを上向きにして平日を表示する。表示部材１８を摺動し、縦第７列に「Ｓ」を合わせ、縦第８列に「Ｍ」を合わせ、縦第９列に「Ｔ」を合わせ、縦第１０列に「Ｗ」を合わせ、縦第１１列に「Ｔ」を合わせ、縦第１２列に「Ｆ」を合わせ、縦第１３列に「Ｓ」を合わせると、６月のカレンダーが完成する。
【００２９】
図１０に示すように、万年カレンダー１は、月表示回転体２４の第１の表示部２４Ａを上向きにして７月を表示し、月表示回転体２１〜２３、２５，２６を回転して月無表示部２１Ｃ〜２３Ｃ、２５Ｃ、２６Ｃを上向きにして月を表示しないようにする。図４にも示すように、日表示回転体２７〜３１、３８〜４４、５１〜５７、６４〜７０、７７〜８１以外の日表示回転体を回転して日無表示部ｃを上向きして日を表示しないようにする。２１日は、祝日なので、日表示回転体６５の休日表示部６５ｂを上向きにして休日を表示する。縦第５列は日曜日なので、日表示回転体３８の休日表示部３８ｂと、日表示回転体５１の休日表示部５１ｂと、日表示回転体６４の休日表示部６４ｂと、日表示回転体７７の休日表示部７７ｂを上向きにして休日を表示する。上記した日以外は平日なので日表示回転体の平日表示部ａを上向きにして平日を表示する。表示部材１８を摺動し、縦第５列に「Ｓ」を合わせ、縦第６列に「Ｍ」を合わせ、縦第７列に「Ｔ」を合わせ、縦第８列に「Ｗ」を合わせ、縦第９列に「Ｔ」を合わせ、縦第１０列に「Ｆ」を合わせ、縦第１１列に「Ｓ」を合わせると、７月のカレンダーが完成する。
【００３０】
図１１に示すように、万年カレンダー１は、月表示回転体２４の第２の表示部２４Ｂを上向きにして８月を表示し、月表示回転体２１〜２３、２５，２６を回転して月無表示部２１Ｃ〜２３Ｃ、２５Ｃ、２６Ｃを上向きにして月を表示しないようにする。図５にも示すように、日表示回転体２７、２８、３５〜４１、４８〜５４、６１〜６７、７４〜７９以外の日表示回転体を回転して日無表示部ｃを上向きして日を表示しないようにする。縦第２列は日曜日なので、日表示回転体３５の休日表示部３５ｂと、日表示回転体４８の休日表示部４８ｂと、日表示回転体６１の休日表示部６１ｂと、日表示回転体７４の休日表示部７４ｂを上向きにして休日を表示する。上記した日以外は平日なので日表示回転体の平日表示部ａを上向きにして平日を表示する。表示部材１８を摺動し、縦第２列に「Ｓ」を合わせ、縦第３列に「Ｍ」を合わせ、縦第４列に「Ｔ」を合わせ、縦第５列に「Ｗ」を合わせ、縦第６列に「Ｔ」を合わせ、縦第７列に「Ｆ」を合わせ、縦第８列に「Ｓ」を合わせると、８月のカレンダーが完成する。
【００３１】
図１２に示すように、万年カレンダー１は、月表示回転体２５の第１の表示部２５Ａを上向きにして９月を表示し、月表示回転体２１〜２４、２６を回転して月無表示部２１Ｃ〜２４Ｃ、２６Ｃを上向きにして月を表示しないようにする。日表示回転体２７〜３２、３９〜４５、５２〜５８、６５〜７１、７８〜８１以外の日表示回転体を回転して日無表示部ｃを上向きして日を表示しないようにする。１５日及び２３日は、祝日なので、日表示回転体５３，６７の休日表示部５３ｂ，６７ｂを上向きにして休日を表示する。縦第６列は日曜日なので、日表示回転体３９の休日表示部３９ｂと、日表示回転体５２の休日表示部５２ｂと、日表示回転体６５の休日表示部６５ｂと、日表示回転体７８の休日表示部７８ｂを上向きにして休日を表示する。上記した日以外は平日なので日表示回転体の平日表示部ａを上向きにして平日を表示する。表示部材１８を摺動し、縦第６列に「Ｓ」を合わせ、縦第７列に「Ｍ」を合わせ、縦第８列に「Ｔ」を合わせ、縦第９列に「Ｗ」を合わせ、縦第１０列に「Ｔ」を合わせ、縦第１１列に「Ｆ」を合わせ、縦第１２列に「Ｓ」を合わせると、９月のカレンダーが完成する。
【００３２】
図１３に示すように、万年カレンダー１は、月表示回転体２５の第２の表示部２５Ｂを上向きにして１０月を表示し、月表示回転体２１〜２４、２６を回転して月無表示部２１Ｃ〜２４Ｃ、２６Ｃを上向きにして月を表示しないようにする。日表示回転体２７〜３０、３７〜４３、５０〜５６、６３〜６９、７６〜８１以外の日表示回転体を回転して日無表示部ｃを上向きして日を表示しないようにする。１３日は、祝日なので、日表回転体５１の休日表示部５１ｂを上向きにして休日を表示する。縦第４列は日曜日なので、日表示回転体３７の休日表示部３７ｂと、日表示回転体５０の休日表示部５０ｂと、日表示回転体６３の休日表示部６３ｂと、日表示回転体７６の休日表示部７６ｂを上向きにして休日を表示する。上記した日以外は平日なので日表示回転体の平日表示部ａを上向きにして平日を表示する。表示部材１８を摺動し、縦第４列に「Ｓ」を合わせ、縦第５列に「Ｍ」を合わせ、縦第７列に「Ｔ」を合わせ、縦第８列に「Ｗ」を合わせ、縦第９列に「Ｔ」を合わせ、縦第１０列に「Ｆ」を合わせ、縦第１１列に「Ｓ」を合わせると、１０月のカレンダーが完成する。
【００３３】
図１４に示すように、万年カレンダー１は、月表示回転体２６の第１の表示部２６Ａを上向きにして１１月を表示し、月表示回転体２１〜２５を回転して月無表示部２１Ｃ〜２５Ｃを上向きにして月を表示しないようにする。図６にも示すように、日表示回転体２７、３４〜４０、４７〜５３、６０〜６７、７３〜８１以外の日表示回転体を回転して日無表示部ｃを上向きして日を表示しないようにする。３日及び２４日は、祝日なので、日表示回転体３５，７４の休日表示部３５ｂ、７４ｂを上向きにして休日を表示する。縦第１列は及び３０日は日曜日なので、日表示回転体３４の休日表示部３４ｂと、日表示回転体４７の休日表示部４７ｂと、日表示回転体６０の休日表示部６０ｂと、日表示回転体７３の休日表示部７３ｂと、日表示回転体８０の休日表示部８０ｂを上向きにして休日を表示する。上記した日以外は平日なので日表示回転体の平日表示部ａを上向きにして平日を表示する。表示部材１８を摺動し、縦第１列に「Ｓ」を合わせ、縦第２列に「Ｍ」を合わせ、縦第３列に「Ｔ」を合わせ、縦第４列に「Ｗ」を合わせ、縦第５列に「Ｔ」を合わせ、縦第６列に「Ｆ」を合わせ、縦第７列に「Ｓ」を合わせると、１１月のカレンダーが完成する。
【００３４】
図１５に示すように、万年カレンダー１は、月表示回転体２６の第２の表示部２６Ｂを上向きにして１２月を表示し、月表示回転体２１〜２５を回転して月無表示部２１Ｃ〜２５Ｃを上向きにして月を表示しないようにする。日表示回転体２７〜３２、３９〜４５、５２〜５８、６５〜７１、７８〜８１以外の日表示回転体を回転して日無表示部ｃを上向きして日を表示しないようにする。２３日は、祝日なので、日表示回転体６７の休日表示部６７ｂを上向きにして休日を表示する。縦第６列は日曜日なので、日表示回転体３９の休日表示部３９ｂと、日表示回転体５２の休日表示部５２ｂと、日表示回転体６５の休日表示部６５ｂと、日表示回転体７８の休日表示部７８ｂを上向きにして休日を表示する。上記した日以外は平日なので日表示回転体の平日表示部ａを上向きにして平日を表示する。表示部材１８を摺動し、縦第６列に「Ｓ」を合わせ、縦第７列に「Ｍ」を合わせ、縦第８列に「Ｔ」を合わせ、縦第９列に「Ｗ」を合わせ、縦第１０列に「Ｔ」を合わせ、縦第１１列に「Ｆ」を合わせ、縦第１２列に「Ｓ」を合わせると、１２月のカレンダーが完成する。
【産業上の利用可能性】
【００３５】
本発明に係る万年カレンダーは、地域を選ばず世界中で永久的に利用可能である。
【図面の簡単な説明】
【００３６】
【図１】万年カレンダーの全体正面図である。
【図２】万年カレンダーの側面断面図である。
【図３】万年カレンダーの要部説明図である。
【図４】１月の万年カレンダーの正面図である。
【図５】２月の万年カレンダーの正面図である。
【図６】３月の万年カレンダーの正面図である。
【図７】４月の万年カレンダーの正面図である。
【図８】５月の万年カレンダーの正面図である。
【図９】６月の万年カレンダーの正面図である。
【図１０】７月の万年カレンダーの正面図である。
【図１１】８月の万年カレンダーの正面図である。
【図１２】９月の万年カレンダーの正面図である。
【図１３】１０月の万年カレンダーの正面図である。
【図１４】１１月の万年カレンダーの正面図である。
【図１５】１２月の万年カレンダーの正面図である。
【符号の説明】
【００３７】
Ａ  第１の月表示部
Ｂ  第２の月表示部
Ｃ  月無表示部
ａ  平日表示部
ｂ  休日表示部
ｃ  日無表示部
１  万年カレンダー
２  枠体
３  上枠部材
３ａ  表面
５  右枠部材
６  左枠部材
７  下枠部材
９  底板
１０  支持軸
１１  ガイド凹部
１２  上壁
１２ａ  係合溝
１３  下壁
１３ａ  係合溝
１４  底壁
１５  回転体
１６  間隔保持部材
１８  表示板（表示部材）
１８ａ  係合縁
１８ｂ  係合縁
２１〜２６  月表示回転体
２１Ａ〜２６Ａ  第１の月表示部
２１Ｂ〜２６Ｂ  第２の月表示部
２１Ｃ〜２６Ｃ  月無表示部
２７〜８１  日表示回転体
２７ａ〜８１ａ  平日表示部
２７ｂ〜８１ｂ  休日表示部
２７ｃ〜８１ｃ  日無表示部
【図１】
0005410036.tif 000002
【図２】
0005410036.tif 000003
【図３】
0005410036.tif 000004
【図４】
0005410036.tif 000005
【図５】
0005410036.tif 000006
【図６】
0005410036.tif 000007
【図７】
0005410036.tif 000008
【図８】
0005410036.tif 000009
【図９】
0005410036.tif 000010
【図１０】
0005410036.tif 000011
【図１１】
0005410036.tif 000012
【図１２】
0005410036.tif 000013
【図１３】
0005410036.tif 000014
【図１４】
0005410036.tif 000015
【図１５】
0005410036.tif 000016